(57)【特許請求の範囲】
【請求項１】
既存の機械設備が備える光源近傍に、後付けで備え付けられるセンサと、
前記センサより点灯情報を取得する点灯情報取得部と、
前記点灯情報をサーバ上に送信する送信部と、
前記センサより取得した点灯情報と、サーバ上に記録された、複数の他のセンサより取得した点灯情報と、を照合して前記光源の点灯の有無を判定する判定部と、
を備える点灯・消灯判定装置。
【請求項２】
前記判定部が、前記サーバ上に記録された、複数の他のセンサより取得した点灯情報に基づいて、前記光源の点灯の有無を判定する閾値を求める
請求項１の点灯・消灯判定装置。
【請求項３】
既存の機械設備が備える光源近傍に、後付けで備え付けられたセンサが取得した点灯情報を通信部が受信するステップと、
前記センサより取得した点灯情報と、記憶部において過去に記憶された複数の他のセンサより取得した点灯情報と、を照合して前記光源の点灯の有無を判定部が判定するステップと、
を備える、コンピュータ上で実行される点灯・消灯判定プログラム。
【発明の詳細な説明】
【技術分野】
【０００１】
本発明は光源の点灯・消灯を判定する装置およびプログラムに関する。
【背景技術】
【０００２】
多くの機械および装置には稼働状況を表示する表示灯が設けられており、ユーザーはこの表示灯を目視することにより、機械および装置の稼働状況を確認する。
【０００３】
目視によらず、遠隔から機械および装置の稼働状況の稼働状況を自動監視する方法が従来いくつか考案されてきたが、特許文献１にはランプの発する光をセンサに検知させることにより、ランプの故障を検出する装置が開示されている。
【０００４】
特許文献１の段落００６１によれば、同文献のランプユニット故障検出装置ではランプが正常に点灯しているか否かの判定を、予め定められたランプユニット故障判定閾値を下回るか否かにより判定することが示唆されている。
【先行技術文献】
【特許文献】
【０００５】
【特許文献１】特開２０１３−０３２１２３号
【発明の概要】
【発明が解決しようとする課題】
【０００６】
ところで、センサが検出する表示灯の光の明るさは、表示灯周囲の環境の影響を受けて微妙に変化することがある。
【０００７】
このため、特許文献１のように閾値が予め定まっていると、実際には点灯しているにもかかわらず消灯していると装置上では判断することが起こりうる。
【０００８】
また、特許文献１ではセンサを取り付ける装置の規格に応じて閾値を個別に設定する必要がある。
【０００９】
そこで、本発明では表示灯の点灯・消灯状態を人間が目視して判断するのと同等程度の判断が可能な点灯・消灯判定装置を提供することを課題とする。
【課題を解決するための手段】
【００１０】
本発明は上記の課題を解決するために、次のような構成を採用する。
【００１１】
(構成)
既存の機械設備が備える光源近傍に、後付けで備え付けられるセンサと、
前記センサより点灯情報を取得する点灯情報取得部と、
前記点灯情報をサーバ上に送信する送信部と、
前記センサより取得した点灯情報と、サーバ上に記録された、複数の他のセンサより取得した点灯情報と、を照合して前記光源の点灯の有無を判定する判定部と、
を備える点灯・消灯判定装置。
【００１２】
また、前記判定部が、前記サーバ上に記録された、複数の他のセンサより取得した点灯情報に基づいて、前記光源の点灯の有無を判定する閾値を求めることが好ましい。
【００１３】
(構成)
既存の機械設備が備える光源近傍に、後付けで備え付けられたセンサが取得した点灯情報を通信部が受信するステップと、
前記センサより取得した点灯情報と、記憶部において過去に記憶された複数の他のセンサより取得した点灯情報と、を照合して前記光源の点灯の有無を判定部が判定するステップと、
を備える、コンピュータ上で実行される点灯・消灯判定プログラム。
【発明の効果】
【００１４】
本発明によれば、サーバ上に記憶された、複数の他のセンサより取得した点灯情報との照合により光源の点灯の有無を判定するため、誤判定が起こりにくく、サーバ上に情報が蓄積するほど精度の高い判定が可能な点灯・消灯判定装置が実現可能となる。
【図面の簡単な説明】
【００１５】
【図１】本発明を回転灯に使用するイメージを説明する図。
【図２】本発明を道路の街灯に使用するイメージを説明する図。
【図３】本発明の実施形態を説明する図。
【発明を実施するための形態】
【００１６】
本発明の実施形態について、以下のとおり説明する。
【００１７】
図１は本発明の回転灯に使用するイメージを示したものである。
【００１８】
回転灯４００がユーザーとは離れた箇所に設置されており、回転灯４００を構成する赤ランプ４０１、黄ランプ４０２、青ランプ４０３にはそれぞれセンサ１００が取り付けられている。
【００１９】
なおセンサ１００は必ずしも各ランプに接触している必要はなく、ランプ近傍に備え付けられていればよい（以後の説明についても同様とする）。
【００２０】
このセンサ１００から送られた信号に基づいてサーバ２００は赤ランプ４０１、黄ランプ４０２、青ランプ４０３が点灯しているか否かの判定を行い、その結果をユーザーの手元にあるクライアント３００に送信して表示させることにより、ユーザーは回転灯４００のランプが点灯しているかどうかを知ることができる。
【００２１】
図１によれば、赤ランプ４０１、青ランプ４０３は点灯しているものの、黄ランプ４０２は点灯していない。本発明によればユーザーは遠隔地からこの状況を知ることができる。
【００２２】
ランプの点灯により機械設備の稼働状況をユーザーに表示することが一般的に行われているが、本発明によれば、ランプの点灯の有無をセンサ１００により遠隔地から監視することにより、ひいては機械設備の稼働状況そのものを遠隔地から監視することが可能となる。
【００２３】
このため、本発明によれば特別な工事をせずとも、既存の機械設備に後付けで遠隔監視システムを構築することが可能となる。
【００２４】
図２は本発明を道路の街灯（道路照明灯）に使用するイメージを示したものである。
【００２５】
複数の街灯５００が備えるライト５０１にはセンサ１００が取り付けられる。
【００２６】
このセンサ１００から送られた信号に基づいてサーバ２００はライト５０１が点灯しているか否かの判定を行い、その結果をユーザーの手元にあるクライアント３００に送信して表示させることにより、ユーザーは街灯５００が点灯しているかどうかを知ることができる。
【００２７】
交通安全および防犯の観点から、街灯の照明は故障していないかどうか常にモニタリングする需要があるが、実際にはこまめに点検するのは困難である。
【００２８】
そこで、本発明によれば従来設備の街灯に後付けで街灯の遠隔監視が可能となる。
【００２９】
図３により、本発明の点灯・消灯判定装置の各構成について説明する。
【００３０】
なお図示はしていないがセンサ１００、サーバ２００、クライアント３００はそれぞれを動作させるためのプロセッサと、動作プログラムを記憶した記憶部を備えているものとする。
【００３１】
（センサ）
センサ１００は光、色、温度、周波数、赤外線、紫外線、振動、等を検知するものを用いることができる。また、センサ１００は複数種類を併用してもよい。
【００３２】
センサ１００により検知された光、色、温度、周波数、赤外線、紫外線、振動、等はそれぞれ必要に応じたＡ／Ｄ回路１０１によりセンサ信号に変換され、プロセッサ１０２により、センサ信号にクロック１０３より取得した時刻およびセンサＩＤを付与したデータが、通信回路１０４を介してサーバ２００に送信される。
【００３３】
通信回路１０４とサーバ２００との通信方法は、３Ｇ回線などの既知の通信手段または将来考案される通信方法を用いることができる。
【００３４】
（サーバ）
サーバ２００はセンサ１００の通信回路１０４から送信されてきたデータを通信回路２０１により受信して記憶領域２０２に記憶する。
【００３５】
そして、サーバ２００上の判定回路２０３は、センサ１００が取り付けられた光源が点灯しているかの判定を、記憶領域２０２に記憶された光、色、温度、周波数、赤外線、紫外線、振動、等の判定閾値を下回るかどうかにより行う。
【００３６】
ここで、本発明では記憶領域２０２に記憶した、複数のセンサ１００からのデータに基づいて判定閾値を更新する。
【００３７】
例えばセンサ１００が光の明るさを検出するものである場合、従来技術では点灯の有無を判定する判定閾値を５００ルーメンに設定した場合、４５０ルーメンでは点灯していない、と判定するが、光源を目視する、あるいは他のセンサと併用して判定を行うと実際には点灯していた、ということが起こりうる。
【００３８】
本発明では記憶領域２０２に記憶した過去のデータの平均値を算出する等の処理によって判定閾値を随時更新することにより、判定回路２０３の精度を向上させていく。
【００３９】
判定回路２０３による判定の結果は通信回路２０１より、クライアント３００に送信される。
【００４０】
（クライアント）
クライアント３００は通信回路３０１によりサーバ２００から送られてくる判定結果を受信する。
【００４１】
判定結果は表示手段３０２に出力されてユーザーへと表示される。表示手段にはセンサ１００が計測した光、色、温度、周波数、赤外線、紫外線、振動、等の数値が合わせて表示される。
【００４２】
サーバ２００、センサ１００への指示は入力手段３０３により受け付け、通信手段３０１によりサーバ２００へ送信される。
【００４３】
なお図面によればクライアント３００はタブレット端末型の形状をしているが、このような形状に限定するものではなく、ユーザー所有の任意の端末を利用してよい。
【００４４】
本発明によれば、サーバ２００はサービスの提供者の所持するサーバをユーザーへ貸与し、クライアント３００はユーザーが元から所持しているタブレット端末、スマートフォン、パーソナルコンピュータなどからブラウザまたは専用のソフトウェアにより閲覧可能とすることにより、従来技術と比較して点灯・消灯判定装置を極めて低コストで導入することが可能である。
【００４５】
なお、本発明におけるハードウェア装置の構成、各ハードウェア動作に関わるプログラム、センサの規格、データ形式、プログラム言語等は、特定のものに依存しておらず、上記説明した実施形態は一例にすぎない。
【００４６】
センサ１００、サーバ２００、クライアント３００において行われる処理は、その一部または全部を他の装置に実行するものとして設計変更してもよい。
【００４７】
たとえば、センサ１００からのデータをクライアント３００として利用している端末が直接受信し、内部のプロセッサにより判定処理を行うことは本発明の範疇である。
【産業上の利用可能性】
【００４８】
機械設備や道路上の街灯等を遠隔地から監視する監視システムに利用することが可能である。当然ながらこれらの用途は本発明の技術的範囲を制限するものではない。
【符号の説明】
【００４９】
１００  センサ
１０１  Ａ／Ｄ回路
１０２  プロセッサ
１０３  クロック
１０４  通信回路
２００  サーバ
２０１  通信回路
２０２  記憶領域
２０３  判定回路
３００  クライアント
３０１  通信回路
３０２  表示部
３０３  入力部
４００  回転灯
４０１  赤ランプ
４０２  黄ランプ
４０３  青ランプ
５００  街灯
５０１  ライト
【要約】
【課題】本発明では表示灯の点灯・消灯状態を人間が目視して判断するのと同等程度の判断が可能な点灯・消灯判定装置を低コストで提供することを課題とする。
【解決手段】本発明によれば、サーバ上に記憶された、複数の他のセンサより取得した点灯情報との照合により光源の点灯の有無を判定するため、誤判定が起こりにくく、サーバ上に情報が蓄積するほど精度の高い判定が可能な点灯・消灯判定装置が実現可能となる。
【選択図】図３【図１】
0005950221.tif 000002
【図２】
0005950221.tif 000003
【図３】
0005950221.tif 000004